(57)【要約】【課題】合成樹脂製の保護シートで被覆されたスマートフォンを提供する。【解決手段】スマートフォン本体１１ｃの正面側１１ａに沿って貼着する正面側シート１２ａと、背面側１１ｂに沿って貼着する背面側シート１２ｂとからなるスマートフォン用の保護シート１２が用いられ、この保護シートがピッタリと貼着されて全体を被覆したスマートフォン１１であって、保護シート１２は、合成樹脂材で形成され、全体が又はスマートフォンの表示画面に対応する表示画面部１３が透明を呈し、裏面側１１ｄには粘着層が形成された構成である。【選択図】図２
0003192585.tif 000002
【実用新案登録請求の範囲】
【請求項１】
スマートフォン本体の正面側に沿って貼着する正面側シートと、背面側に沿って貼着する背面側シートとからなるスマートフォン用の保護シートが用いられ、該保護シートがピッタリと貼着されて全体を被覆したスマートフォンであって、
前記保護シートは、合成樹脂材で形成され、全体が又はスマートフォンの表示画面に対応する表示画面部が透明を呈し、裏面側には粘着層が形成された構成であること
を特徴とする保護シートで被覆されたスマートフォン。
【請求項２】
前記正面側シート及び前記背面側シートは、スマートフォンの上端形状に沿った上縁湾曲部と、下端形状に沿った下縁湾曲部と、両方の側部形状に沿った側部湾曲部とを有しており、
前記上縁湾曲部と前記側部湾曲部との連接部分は、スマートフォンの上端の角部形状に沿った上角湾曲部を有しており、
前記下縁湾曲部と前記側部湾曲部との連接部分は、スマートフォンの下端の角部形状に沿った下角湾曲部を有していること
を特徴とする請求項１に記載の保護シートで被覆されたスマートフォン。
【請求項３】
前記正面側シート及び前記背面側シートは、スマートフォンのホームボタンと、受話口と、カメラレンズとに対応する位置にそれぞれ孔部が形成され、
また、スマートフォンの端子と、音量キーとに対応する位置にそれぞれ切欠き部が形成されていること
を特徴とする請求項１に記載の保護シートで被覆されたスマートフォン。
【請求項４】
前記保護シートは、前記表示画面部を除く部位に対して、シボ加工処理が施され、又はシルク印刷手段で着色あるいは印字が施されること
を特徴とする請求項１に記載の保護シートで被覆されたスマートフォン。
【考案の詳細な説明】
【技術分野】
【０００１】
本考案は、合成樹脂製の保護シートで被覆されたスマートフォンに関するものである。
【背景技術】
【０００２】
従来、スマートフォンに貼着する保護シートとしては、次のような構成のものが知られている。この保護シートは、合成樹脂製のシートで、スマートフォンの正面側に沿った長方形状に形成されており、表示画面に沿わす透明な画面部と、表示画面の周辺に沿わす有色な周辺部とからなり、スマートフォンの正面側をキズや汚れから保護する（特許文献１参照）。
【０００３】
一方、保護シートとは異なるが、スマートフォンを全体的に保護する保護カバーとしては、次のような構成のものが知られている。この保護カバーは、ポリカーボネート樹脂、シリコーン、ＴＰＵ（サーモプラスチックポリウレタン）等で形成されており、スマートフォンの表示画面に沿って長方形状の開口部を有し、上下の端部と左右の側部と背面部とに沿ってスマートフォンを嵌め込む仕組みになっている（特許文献２参照）。
【先行技術文献】
【特許文献】
【０００４】
【特許文献１】特開２０１３−１０７９９６号公報（図４）
【特許文献２】実用新案登録第３１１２５８５号公報（図１）
【考案の概要】
【考案が解決しようとする課題】
【０００５】
従来例の保護シートにおいては、スマートフォンの正面側を保護することはできるが、上下の端部、左右の側部、及び背面側のキズや汚れを防ぐことができないという欠点を有している。
【０００６】
これに対して、従来例の保護カバーは、スマートフォンの上下の端部、左右の側部、及び背面側は保護するが、表示画面は保護できない。そして、シリコーンで形成されているので、全体に厚みが増してスマートな把持感覚が失われることとなり、さらにはスマートフォン本来のデザインや色彩が遮蔽されるという欠点も有している。
【０００７】
従って、従来例における場合においては、スマートフォンの全体がキズや汚れから保護されることと、全体の厚みをできるだけ抑えてスマートな把持感覚が維持されることと、デザインや色彩が遮蔽されないこととを具備したスマートフォンを提供することに解決しなければならない課題を有している。
【課題を解決するための手段】
【０００８】
前記従来例の課題を解決するための本考案の要旨は、スマートフォン本体の正面側に沿って貼着する正面側シートと、背面側に沿って貼着する背面側シートとからなるスマートフォン用の保護シートが用いられ、該保護シートがピッタリと貼着されて全体を被覆したスマートフォンであって、前記保護シートは、合成樹脂材で形成され、全体が又はスマートフォンの表示画面に対応する表示画面部が透明を呈し、裏面側には粘着層が形成された構成である。
【０００９】
また、前記正面側シート及び前記背面側シートは、スマートフォンの上端形状に沿った上縁湾曲部と、下端形状に沿った下縁湾曲部と、両方の側部形状に沿った側部湾曲部とを有しており、前記上縁湾曲部と前記側部湾曲部との連接部分は、スマートフォンの上端の角部形状に沿った上角湾曲部を有しており、前記下縁湾曲部と前記側部湾曲部との連接部分は、スマートフォンの下端の角部形状に沿った下角湾曲部を有していること、；
前記正面側シート及び前記背面側シートは、スマートフォンのホームボタンと、受話口と、カメラレンズとに対応する位置にそれぞれ孔部が形成され、また、スマートフォンの端子と、音量キーとに対応する位置にそれぞれ切欠き部が形成されていること、；
前記保護シートは、前記表示画面部を除く部位に対して、シボ加工処理が施され、又はシルク印刷手段で着色あるいは印字が施されること、；
を含むものである。
【考案の効果】
【００１０】
本考案に係る保護シートで被覆されたスマートフォンによれば、保護シートがピッタリと貼着されてスマートフォンの全体が被覆されるので、スマートフォンの正面側だけでなく、上下の端部、左右の側部、及び背面側のキズや汚れを防ぐことができる。
また、合成樹脂製のシートで全体が被覆されるので、従来例のポリカーボネート樹脂、シリコーン、ＴＰＵ（サーモプラスチックポリウレタン）等のように厚みが増すことがなく、スマートな把持感覚が維持される。
そして、保護シートは全体が透明を呈するので、スマートフォン本来のデザインや色彩が遮蔽されることがないという種々の優れた効果を奏する。
【００１１】
正面側シート及び背面側シートは、スマートフォンの上端形状に沿った上縁湾曲部と、下端形状に沿った下縁湾曲部と、両方の側部形状に沿った側部湾曲部とを有しており、上縁湾曲部と側部湾曲部との連接部分は、スマートフォンの上端の角部形状に沿った上角湾曲部を有し、下縁湾曲部と側部湾曲部との連接部分は、スマートフォンの下端の角部形状に沿った下角湾曲部を有するので、保護シートがスマートフォンの正面側だけでなく、湾曲部や角部に沿ってピッタリと貼着される。
従って、スマートフォンの全体が保護されると共に、スマートフォンの厚みが増すことがなく、スマートな把持感覚が維持されるという優れた効果を奏する。
【００１２】
正面側シート及び背面側シートは、スマートフォンのホームボタンと、受話口と、カメラレンズとに対応する位置にそれぞれ孔部が形成され、また、スマートフォンの端子と、音量キーとに対応する位置にそれぞれ切欠き部が形成されていることによって、各操作ボタンやカメラレンズは保護シートで覆われないので、操作ボタンの押圧や写真撮影を確実に行うことが可能であるという優れた効果を奏する。
【００１３】
保護シートは、表示画面部を除く部位に対して、シボ加工処理が施されることによって、スマートフォンへの貼着が容易にかつ綺麗に行えることとなる。また、シルク印刷手段で着色あるいは印字が施されることによって、保護シートへの様々なデザインや表示が可能であるという優れた効果を奏する。
【図面の簡単な説明】
【００１４】
【図１】本考案に係る保護シートで被覆されたスマートフォン１１の斜視図である。
【図２】正面側シート１２ａと、スマートフォン本体１１ｃと、背面側シート１２ｂとを分離して示す斜視図である。
【図３】本考案に係る保護シートで被覆されたスマートフォン１１の正面図である。
【図４】本考案に係る保護シートで被覆されたスマートフォン１１の背面図である。
【図５】本考案に係る保護シートで被覆されたスマートフォン１１の平面図である。
【図６】本考案に係る保護シートで被覆されたスマートフォン１１の底面図である。
【図７】本考案に係る保護シートで被覆されたスマートフォン１１の右側面図である。
【図８】本考案に係る保護シートで被覆されたスマートフォン１１の左側面図である。
【考案を実施するための形態】
【００１５】
次に、本考案の実施の形態について図面を参照しながら説明する。まず、図１及び図２において、符号１１は保護シートで被覆されたスマートフォンを示し、このスマートフォン１１は、スマートフォン本体１１ｃの正面側１１ａに沿って貼着する正面側シート１２ａと、背面側１１ｂに沿って貼着する背面側シート１２ｂとからなるスマートフォン用の保護シート１２が用いられ、当該保護シート１２がピッタリと貼着されて全体が被覆されている。
【００１６】
保護シート１２は、材質がポリエチレンテレフタレート等の合成樹脂であり、当該保護シート１２の厚さは約０．２〜０．４ｍｍ程度で、望ましくは０．３ｍｍである。
【００１７】
また、保護シート１２は、全体が透明を呈し、各保護シート１２の裏面側１１ｄにはシリコーン系粘着剤等の粘着層が形成されており、図２に示すスマートフォン本体１１ｃに対して貼着自在である。
【００１８】
このようにスマートフォン１１は、合成樹脂の保護シート１２で全体が被覆されるので、従来例のポリカーボネート樹脂、シリコーン、ＴＰＵ（サーモプラスチックポリウレタン）等からなる保護ケースのように厚みが増すことがなく、スマートな把持感覚が維持される。
また、保護シート１２は全体が透明を呈するので、スマートフォン本来のデザインや色彩が遮蔽されることがない。
【００１９】
次に、スマートフォン１１の他の実施例を説明する。保護シート１２は、スマートフォンの表示画面に対応する表示画面部１３が透明に形成され、当該表示画面部１３を除く部位はシボ加工処理が施されたものでもよい（図示せず）。この場合は、保護シート１２のスマートフォン本体１１ｃへの貼着処理が容易にかつ綺麗に行えることとなる。
【００２０】
更には、表示画面部１３を除く部位に対して、シルク印刷手段で着色あるいは印字が施されるものでもよい（図示せず）。この場合は、保護シート１２への様々なデザインや表示が可能である。
【００２１】
正面側シート１２ａ及び背面側シート１２ｂは、スマートフォンの上端１４形状に沿った上縁湾曲部１５と、下端１６形状に沿った下縁湾曲部１７と、両方の側部１８形状に沿った側部湾曲部１９とを有している。
【００２２】
上縁湾曲部１５と側部湾曲部１９との連接部分は、スマートフォンの上端の角部２０形状に沿った上角湾曲部２１を有している。また、下縁湾曲部１７と側部湾曲部１９との連接部分は、スマートフォンの下端の角部２２形状に沿った下角湾曲部２３を有している。
【００２３】
このように、正面側シート１２ａ及び背面側シート１２ｂが、上縁湾曲部１５、下縁湾曲部１７、側部湾曲部１９、上角湾曲部２１、及び下角湾曲部２３を有することによって、保護シート１２がスマートフォンの湾曲部や角部に沿ってピッタリと貼着される。従って、スマートフォンの全体が保護されると共に、スマートフォンの厚みが増すことがなく、スマートでスリムな把持感覚が維持される。
【００２４】
正面側シート１２ａ及び背面側シート１２ｂは、スマートフォン１１のホームボタン２４と、受話口２５と、カメラレンズ２６とに対応する位置にそれぞれ孔部３０が形成される。
また、スマートフォンの端子２７と、音量キー２８とに対応する位置にそれぞれ切欠き部３１が形成される。
従って、各操作ボタンやカメラレンズ２６は保護シート１２で覆われないので、操作ボタンの押圧や写真撮影を確実に行うことができる。
【００２５】
以上のように構成される保護シートで被覆されたスマートフォン１１は、保護シート１２がピッタリと貼着されてスマートフォン本体１１ｃの全体が被覆されるので、スマートフォン本体１１ｃの正面側１１ａだけでなく、上端１４、下端１６、両方の側部１８、及び背面側１１ｂのキズや汚れを防ぐことができる。
【符号の説明】
【００２６】
１１  保護シートで被覆されたスマートフォン
１１ａ正面側
１１ｂ背面側
１１ｃスマートフォン本体
１１ｄ裏面側
１２  保護シート
１２ａ正面側シート
１２ｂ背面側シート
１３  表示画面部
１４  上端
１５  上縁湾曲部
１６  下端
１７  下縁湾曲部
１８  側部
１９  側部湾曲部
２０  上端の角部
２１  上角湾曲部
２２  下端の角部
２３  下角湾曲部
２４  ホームボタン
２５  受話口
２６  カメラレンズ
２７  端子
２８  音量キー
３０  孔部
３１  切欠き部
【図１】
0003192585.tif 000003
【図２】
0003192585.tif 000004
【図３】
0003192585.tif 000005
【図４】
0003192585.tif 000006
【図５】
0003192585.tif 000007
【図６】
0003192585.tif 000008
【図７】
0003192585.tif 000009
【図８】
0003192585.tif 000010